(57)【特許請求の範囲】
【請求項１】
光性能パラメータを監視するための装置であって、
受信された検出されるべき光信号および多波長局部発振レーザービームに対してコヒーレント合成を実行し、前記コヒーレント合成によって形成されたコヒーレント受信信号をアナログ電気信号へと変換するように構成されたコヒーレント受信ユニットと、
前記コヒーレント受信ユニットによって出力された前記アナログ電気信号を獲得し、前記アナログ電気信号をデジタル信号へと変換するように構成されたデータ獲得ユニットと、
前記データ獲得ユニットによって出力された前記デジタル信号を処理して、前記検出されるべき光信号の連続的な完全な電力スペクトルを生成するように構成された電力スペクトル生成ユニットと、
前記電力スペクトル生成ユニットによって生成された前記連続的な完全な電力スペクトルに従って、前記検出されるべき光信号を運ぶ送信リンクの光性能パラメータを監視するように構成された光性能パラメータ監視ユニットと
を含み、
前記電力スペクトル生成ユニットが、
前記データ獲得ユニットによって出力された前記デジタル信号に対してフーリエ変換を実行して、前記検出されるべき光信号の、前記多波長局部発振レーザービームに対応する複数の異なる周波数帯域内の連続的な電力スペクトルを生成するように構成されたフーリエ変換モジュールと、
前記複数の異なる周波数帯域内の前記連続的な電力スペクトルに従って、前記検出されるべき光信号の離散的な完全な電力スペクトルを生成するように構成されたスペクトル接合モジュールと、
補間アルゴリズムを使用することによって、前記検出されるべき光信号の前記離散的な完全な電力スペクトルに従って、前記検出されるべき光信号の前記連続的な完全な電力スペクトルを生成するように構成されたスペクトル生成モジュールと
を含む、装置。
【請求項２】
前記コヒーレント受信ユニットが、
前記多波長局部発振レーザービームを出力するように構成された多波長局部発振レーザーと、
第1の偏光状態を有し、前記検出されるべき光信号内にある第1の検出されるべき光信号、および、前記第1の偏光状態を有し、前記多波長局部発振レーザービーム内にある第1の局部発振レーザービームに対してコヒーレント合成を実行するように構成された第1の光シンセサイザと、
前記第1の光シンセサイザが前記コヒーレント合成を実行した後に生成された前記コヒーレント受信信号を受信し、前記コヒーレント受信信号を前記アナログ電気信号へと変換するように構成された第1の光電子検出器と
を含む、請求項1に記載の装置。
【請求項３】
前記コヒーレント受信ユニットが、
前記受信された検出されるべき光信号の偏光状態を調整するように構成された偏光コントローラと、
前記偏光コントローラによって出力された前記検出されるべき光信号を、偏光状態が互いに直交する前記第1の検出されるべき光信号および第2の検出されるべき光信号へと分けるように構成された第1の偏光ビームスプリッタであって、前記第1の検出されるべき光信号が前記第1の光シンセサイザに入力される、第1の偏光ビームスプリッタと、
前記多波長局部発振レーザーによって出力される前記多波長局部発振レーザービームを、偏光状態が互いに直交する前記第1の局部発振レーザービームおよび第2の局部発振レーザービームへと分けるように構成された第2の偏光ビームスプリッタであって、前記第1の局部発振レーザービームが前記第1の光シンセサイザに入力される、第2の偏光ビームスプリッタと
をさらに含む、請求項2に記載の装置。
【請求項４】
前記コヒーレント受信ユニットが、
第2の偏光状態を有する前記第2の検出されるべき光信号および前記第2の偏光状態を有する前記第2の局部発振レーザービームを受信し、前記第2の検出されるべき光信号および前記第2の局部発振レーザービームに対してコヒーレント合成を実行するように構成された第2の光シンセサイザであって、前記第2の偏光状態が前記第1の偏光状態と直交する、第2の光シンセサイザと、
前記第2の光シンセサイザが前記コヒーレント合成を実行した後に生成された前記コヒーレント受信信号を受信し、前記コヒーレント受信信号を前記アナログ電気信号へと変換するように構成された第2の光電子検出器と
をさらに含む、請求項3に記載の装置。
【請求項５】
前記フーリエ変換モジュールが、
前記データ獲得ユニットによって出力され、同じ周波数帯域内にある複数のデジタル信号に対して平均処理を実行し、
前記平均処理が実行された前記デジタル信号に対してフーリエ変換を実行して、前記検出されるべき光信号の、前記多波長局部発振レーザービームに対応する前記同じ周波数帯域内の連続的な電力スペクトルを生成する
ようにさらに構成される、請求項1に記載の装置。
【請求項６】
前記多波長局部発振レーザーが、チューナブルレーザーであり、
前記チューナブルレーザーによって出力されるレーザービームの波長が、前記検出されるべき光信号の波長を含む、請求項2から5のいずれか一項に記載の装置。
【請求項７】
前記多波長局部発振レーザーが、光周波数コムであり、
前記コヒーレント受信ユニットが、
前記光周波数コムによって出力される前記多波長局部発振レーザービームに対してフィルタリングを実行するように構成された帯域通過フィルタ(BPF)であって、前記検出されるべき光信号の周波数が前記帯域通過フィルタのカットオフ周波数の範囲内にある、帯域通過フィルタ
をさらに含む、請求項2から5のいずれか一項に記載の装置。
【請求項８】
前記第1の光シンセサイザまたは前記第2の光シンセサイザが、光ハイブリッドであり、
前記第1の光電子検出器または前記第2の光電子検出器の帯域幅が、500MHzから2GHzまでの範囲内にある、請求項4から7のいずれか一項に記載の装置。
【請求項９】
前記第1の光シンセサイザまたは前記第2の光シンセサイザが、光カプラである、請求項4から7のいずれか一項に記載の装置。
【請求項１０】
前記光性能パラメータ監視ユニットによって監視される前記光性能パラメータが、光信号対雑音比(OSNR)、光電力、変調フォーマット、チャネル波長シフト、自然放射増幅光(ASE)雑音、増幅器の利得、および利得傾斜のうちの少なくとも1つのパラメータを含む、請求項1から9のいずれか一項に記載の装置。
【請求項１１】
光性能パラメータを監視するための方法であって、
受信された検出されるべき光信号および多波長局部発振レーザービームに対してコヒーレント合成を実行するステップと、
前記コヒーレント合成によって形成されたコヒーレント受信信号をアナログ電気信号へと変換するステップと、
前記アナログ電気信号を獲得し、前記アナログ電気信号をデジタル信号へと変換するステップと、
前記デジタル信号を処理して、前記検出されるべき光信号の連続的な完全な電力スペクトルを生成するステップと、
前記連続的な完全な電力スペクトルに従って、前記検出されるべき光信号を運ぶ送信リンクの光性能パラメータを監視するステップと
を含み、
前記デジタル信号を処理して、前記検出されるべき光信号の連続的な完全な電力スペクトルを生成する前記ステップが、
前記デジタル信号に対してフーリエ変換を実行して、前記検出されるべき光信号の、前記多波長局部発振レーザービームに対応する複数の異なる周波数帯域内の連続的な電力スペクトルを生成するステップと、
前記複数の異なる周波数帯域内の前記連続的な電力スペクトルに従って、前記検出されるべき光信号の離散的な完全な電力スペクトルを生成するステップと、
補間アルゴリズムを使用することによって、前記検出されるべき光信号の前記離散的な完全な電力スペクトルに従って、前記検出されるべき光信号の前記連続的な完全な電力スペクトルを生成するステップと
を含む、方法。
【請求項１２】
受信された検出されるべき光信号および多波長局部発振レーザービームに対してコヒーレント合成を実行する前記ステップが、
第1の偏光状態を有し、前記検出されるべき光信号内にある第1の検出されるべき光信号、および、前記第1の偏光状態を有し、前記多波長局部発振レーザービーム内にある第1の局部発振レーザービームに対してコヒーレント合成を実行するステップ
を含む、請求項11に記載の方法。
【請求項１３】
受信された検出されるべき光信号および多波長局部発振レーザービームに対してコヒーレント合成を実行する前記ステップよりも前に、
前記受信された検出されるべき光信号の偏光状態を調整するステップと、
偏光状態が調整される前記検出されるべき光信号を、偏光状態が互いに直交する前記第1の検出されるべき光信号および第2の検出されるべき光信号へと分けるステップと、
前記多波長局部発振レーザービームを、偏光状態が互いに直交する前記第1の局部発振レーザービームおよび第2の局部発振レーザービームへと分けるステップと
をさらに含み、
受信された検出されるべき光信号および多波長局部発振レーザービームに対してコヒーレント合成を実行する前記ステップが、
前記第1の検出されるべき光信号および前記第1の局部発振レーザービームに対してコヒーレント合成を実行するステップ
を含む、請求項12に記載の方法。
【請求項１４】
受信された検出されるべき光信号および多波長局部発振レーザービームに対してコヒーレント合成を実行する前記ステップが、
前記第1の検出されるべき光信号および前記第1の局部発振レーザービームに対してコヒーレント合成を実行するステップと、
第2の偏光状態を有する前記第2の検出されるべき光信号および前記第2の偏光状態を有する前記第2の局部発振レーザービームに対してコヒーレント合成を実行するステップであって、前記第2の偏光状態が前記第1の偏光状態と直交する、ステップと
を含む、請求項13に記載の方法。
【請求項１５】
光送信システムであって、
光信号を送信するように構成されたファイバリンクと、
前記ファイバリンク内に配置され、前記光信号を第1の光信号および第2の光信号へと分けるように構成された光スプリッタであって、前記第1の光信号の強度が前記第2の光信号の強度よりも高い、光スプリッタと、
請求項1から10のいずれか一項に記載の光性能パラメータを監視するための装置であって、前記光スプリッタによって出力された前記第2の光信号を受信し、前記第2の光信号の光性能パラメータを監視するように構成された装置と
を含むシステム。
【発明の詳細な説明】
【技術分野】
【０００１】
本発明は、光ネットワークの分野に関し、特に、光ネットワークの分野における光性能パラメータを監視するための装置および方法、ならびに光送信システムに関する。
【背景技術】
【０００２】
マルチメディアネットワークテクノロジーに基づくアプリケーションサービスによって引き起こされ、人々が帯域幅を必要とすることによって、通信ネットワークの送信容量は、著しく増加している。従来の電気的ネットワークは大容量通信ネットワークのための低コストの解決策を提供し得ないので、ネットワーク帯域幅のボトルネックはネットワークの光レイヤからネットワークレイヤへと移っている。したがって、動的で、透過的で、再構成可能な光ネットワークが、人々のいっそう多くの注目を集め、急速に発達している。
【０００３】
光ネットワークは、伝送レートの継続的向上によって発展させられるのみでなく、光ネットワークのインテリジェンスも継続的に改善される。インテリジェントな管理は、ネットワークの状態および信号がリアルタイムで監視されることを必要とすることを要求し、それによって、動的制御を実行する。したがって、光ドメイン(optical domain)においてネットワークの物理レイヤのパラメータおよび健全さの状態を決定することが欠かせない。(光ドメインにおいて)チャネルの光電力、中心波長、および光信号対雑音比(Optical Signal Noise Ratio、略して「OSNR」)などのインジケータをオンラインで監視するための機能モジュールとしての光性能モニタ(Optical Performance Monitor、略して「OPM」)が、人々の注目を集めてきた。光性能モニタは、光ネットワークに関する信頼でき、正確で、リアルタイムの情報を提供することができ、光ネットワーク監視の重要な部分になっている。
【０００４】
現在、OPMモジュールは、主として光スペクトル分析テクノロジーに基づいて光性能パラメータを監視し、つまり、OPMモジュールは、概して、チューナブルフィルタおよびホモダイン検波テクノロジーを用いて光スペクトル特性を抽出して複数のパラメータを監視する。チューナブルフィルタは、それぞれの単一波長光信号を除去する必要があり、光性能パラメータを推定するためにそれぞれの単一波長光信号を監視する。
【０００５】
しかし、OPMモジュールによって使用されるフィルタは信号に対する深刻な損害を引き起こすので、OPMモジュールによって光性能パラメータを検出する精度は比較的低い。
【発明の概要】
【課題を解決するための手段】
【０００６】
本発明の実施態様は、光性能パラメータを高精度で監視することができる、光性能パラメータを監視するための装置および方法、ならびに光送信システムを提供する。
【０００７】
第1の態様によれば、光性能パラメータを監視するための装置が提供され、装置は、受信された検出されるべき光信号および多波長局部発振レーザービームに対してコヒーレント合成を実行し、コヒーレント合成によって形成されたコヒーレント受信信号をアナログ電気信号へと変換するように構成されたコヒーレント受信ユニットと、コヒーレント受信ユニットによって出力されたアナログ電気信号を獲得し、アナログ電気信号をデジタル信号へと変換するように構成されたデータ獲得ユニットと、データ獲得ユニットによって出力されたデジタル信号を処理して、検出されるべき光信号の連続的な完全な電力スペクトルを生成するように構成された電力スペクトル生成ユニットと、電力スペクトル生成ユニットによって生成された連続的な完全な電力スペクトルに従って、検出されるべき光信号を運ぶ送信リンクの光性能パラメータを監視するように構成された光性能パラメータ監視ユニットとを含む。
【０００８】
第1の態様に関連して、第1の態様の第1のあり得る実装方法において、コヒーレント受信ユニットは、多波長局部発振レーザービームを出力するように構成された多波長局部発振レーザーと、第1の偏光状態を有し、検出されるべき光信号内にある第1の検出されるべき光信号、および、第1の偏光状態を有し、多波長局部発振レーザービーム内にある第1の局部発振レーザービームに対してコヒーレント合成を実行するように構成された第1の光シンセサイザと、第1の光シンセサイザがコヒーレント合成を実行した後に生成されたコヒーレント受信信号を受信し、コヒーレント受信信号をアナログ電気信号へと変換するように構成された第1の光電子検出器とを含む。
【０００９】
第1の態様の第1のあり得る実装方法に関連して、第1の態様の第2のあり得る実装方法において、コヒーレント受信ユニットは、受信された検出されるべき光信号の偏光状態を調整するように構成された偏光コントローラと、偏光コントローラによって出力された検出されるべき光信号を、偏光状態が互いに直交する第1の検出されるべき光信号および第2の検出されるべき光信号へと分けるように構成された第1の偏光ビームスプリッタであって、第1の検出されるべき光信号が第1の光シンセサイザに入力される、第1の偏光ビームスプリッタと、多波長局部発振レーザーによって出力される多波長局部発振レーザービームを、偏光状態が互いに直交する第1の局部発振レーザービームおよび第2の局部発振レーザービームへと分けるように構成された第2の偏光ビームスプリッタであって、第1の局部発振レーザービームが第1の光シンセサイザに入力される、第2の偏光ビームスプリッタとをさらに含む。
【００１０】
第1の態様の第2のあり得る実装方法に関連して、第1の態様の第3のあり得る実装方法において、コヒーレント受信ユニットは、第2の偏光状態を有する第2の検出されるべき光信号および第2の偏光状態を有する第2の局部発振レーザービームを受信し、第2の検出されるべき光信号および第2の局部発振レーザービームに対してコヒーレント合成を実行するように構成された第2の光シンセサイザであって、第2の偏光状態が第1の偏光状態と直交する、第2の光シンセサイザと、第2の光シンセサイザがコヒーレント合成を実行した後に生成されたコヒーレント受信信号を受信し、コヒーレント受信信号をアナログ電気信号へと変換するように構成された第2の光電子検出器とをさらに含む。
【００１１】
第1の態様、または第1の態様の第1から第3までのあり得る実装方法のうちのいずれかのあり得る実装方法に関連して、第1の態様の第4のあり得る実装方法において、電力スペクトル生成ユニットは、データ獲得ユニットによって出力されたデジタル信号に対してフーリエ変換を実行して、検出されるべき光信号の、多波長局部発振レーザービームに対応する複数の異なる周波数帯域内の連続的な電力スペクトルを生成するように構成されたフーリエ変換モジュールと、複数の異なる周波数帯域内の連続的な電力スペクトルに従って、検出されるべき光信号の離散的な完全な電力スペクトルを生成するように構成されたスペクトル接合(spectrum splicing)モジュールと、補間アルゴリズムを使用することによって、検出されるべき光信号の離散的な完全な電力スペクトルに従って、検出されるべき光信号の連続的な完全な電力スペクトルを生成するように構成されたスペクトル生成モジュールとを含む。
【００１２】
第1の態様の第4のあり得る実装方法に関連して、第1の態様の第5のあり得る実装方法において、フーリエ変換モジュールは、特に、データ獲得ユニットによって出力され、同じ周波数帯域内にある複数のデジタル信号に対して平均処理を実行し、平均処理が実行されたデジタル信号に対してフーリエ変換を実行して、検出されるべき光信号の、多波長局部発振レーザービームに対応する同じ周波数帯域内の連続的な電力スペクトルを生成するように構成される。
【００１３】
第1の態様の第1から第5までのあり得る実装方法のうちのいずれかのあり得る実装方法に関連して、第1の態様の第6のあり得る実装方法において、多波長局部発振レーザーは、チューナブルレーザーであり、チューナブルレーザーによって出力されるレーザービームの波長は、検出されるべき光信号の波長を含む。
【００１４】
第1の態様の第1から第5までのあり得る実装方法のうちのいずれかのあり得る実装方法に関連して、第1の態様の第7のあり得る実装方法において、多波長局部発振レーザーは、光周波数コムであり、コヒーレント受信ユニットは、光周波数コムによって出力される多波長局部発振レーザービームに対してフィルタリングを実行するように構成された帯域通過フィルタ(BPF)であって、検出されるべき光信号の周波数が帯域通過フィルタのカットオフ周波数の範囲内にある、帯域通過フィルタをさらに含む。
【００１５】
第1の態様の第3から第7までのあり得る実装方法のうちのいずれかのあり得る実装方法に関連して、第1の態様の第8のあり得る実装方法において、第1の光シンセサイザまたは第2の光シンセサイザは、光ハイブリッド(optical hybrid)であり、第1の光電子検出器または第2の光電子検出器の帯域幅は、500MHzから2GHzまでの範囲内にある。
【００１６】
第1の態様の第3から第7までのあり得る実装方法のうちのいずれかのあり得る実装方法に関連して、第1の態様の第9のあり得る実装方法において、第1の光シンセサイザまたは第2の光シンセサイザは、光カプラである。
【００１７】
第1の態様、または第1の態様の第1から第9までのあり得る実装方法のうちのいずれかのあり得る実装方法に関連して、第1の態様の第10のあり得る実装方法において、光性能パラメータ監視ユニットによって監視される光性能パラメータは、以下のパラメータ、すなわち、光信号対雑音比(OSNR)、光電力、変調フォーマット、チャネル波長シフト(channel wavelength shift)、自然放射増幅光(ASE)雑音、増幅器の利得、および利得傾斜(gain tilt)のうちの少なくとも1つのパラメータを含む。
【００１８】
第2の態様によれば、光性能パラメータを監視するための方法が提供され、方法は、受信された検出されるべき光信号および多波長局部発振レーザービームに対してコヒーレント合成を実行するステップと、コヒーレント合成によって形成されたコヒーレント受信信号をアナログ電気信号へと変換するステップと、アナログ電気信号を獲得し、アナログ電気信号をデジタル信号へと変換するステップと、デジタル信号を処理して、検出されるべき光信号の連続的な完全な電力スペクトルを生成するステップと、連続的な完全な電力スペクトルに従って、検出されるべき光信号を運ぶ送信リンクの光性能パラメータを監視するステップとを含む。
【００１９】
第2の態様に関連して、第2の態様の第1のあり得る実装方法においては、受信された検出されるべき光信号および多波長局部発振レーザービームに対してコヒーレント合成を実行するステップは、第1の偏光状態を有し、検出されるべき光信号内にある第1の検出されるべき光信号、および、第1の偏光状態を有し、多波長局部発振レーザービーム内にある第1の局部発振レーザービームに対してコヒーレント合成を実行するステップを含む。
【００２０】
第2の態様の第1のあり得る実装方法に関連して、第2の態様の第2のあり得る実装方法においては、受信された検出されるべき光信号および多波長局部発振レーザービームに対してコヒーレント合成を実行するステップよりも前に、方法は、受信された検出されるべき光信号の偏光状態を調整するステップと、偏光状態が調整される検出されるべき光信号を、偏光状態が互いに直交する第1の検出されるべき光信号および第2の検出されるべき光信号へと分けるステップと、多波長局部発振レーザービームを、偏光状態が互いに直交する第1の局部発振レーザービームおよび第2の局部発振レーザービームへと分けるステップとをさらに含み、受信された検出されるべき光信号および多波長局部発振レーザービームに対してコヒーレント合成を実行するステップは、第1の検出されるべき光信号および第1の局部発振レーザービームに対してコヒーレント合成を実行するステップを含む。
【００２１】
第2の態様の第2のあり得る実装方法に関連して、第2の態様の第3のあり得る実装方法において、受信された検出されるべき光信号および多波長局部発振レーザービームに対してコヒーレント合成を実行するステップは、第1の検出されるべき光信号および第1の局部発振レーザービームに対してコヒーレント合成を実行するステップと、第2の偏光状態を有する第2の検出されるべき光信号および第2の偏光状態を有する第2の局部発振レーザービームに対してコヒーレント合成を実行するステップであって、第2の偏光状態が第1の偏光状態と直交する、ステップとを含む。
【００２２】
第2の態様、または第2の態様の第1から第3までのあり得る実装方法のうちの任意のあり得る実装方法に関連して、第2の態様の第4のあり得る実装方法において、デジタル信号を処理して、検出されるべき光信号の連続的な完全な電力スペクトルを生成するステップは、デジタル信号に対してフーリエ変換を実行して、検出されるべき光信号の、多波長局部発振レーザービームに対応する複数の異なる周波数帯域内の連続的な電力スペクトルを生成するステップと、複数の異なる周波数帯域内の連続的な電力スペクトルに従って、検出されるべき光信号の離散的な完全な電力スペクトルを生成するステップと、補間アルゴリズムを使用することによって、検出されるべき光信号の離散的な完全な電力スペクトルに従って、検出されるべき光信号の連続的な完全な電力スペクトルを生成するステップとを含む。
【００２３】
第3の態様によれば、光送信システムが提供され、光送信システムは、光信号を送信するように構成されたファイバリンクと、ファイバリンク内に配置され、光信号を第1の光信号および第2の光信号へと分けるように構成された光スプリッタであって、第1の光信号の強度が第2の光信号の強度よりも高い、光スプリッタと、光スプリッタによって出力された第2の光信号を受信し、第2の光信号の光性能パラメータを監視するように構成された、本発明の実施態様による光性能パラメータを監視するための装置とを含み、
装置は、受信された検出されるべき光信号および多波長局部発振レーザービームに対してコヒーレント合成を実行し、コヒーレント合成によって形成されたコヒーレント受信信号をアナログ電気信号へと変換するように構成されたコヒーレント受信ユニットと、コヒーレント受信ユニットによって出力されたアナログ電気信号を獲得し、アナログ電気信号をデジタル信号へと変換するように構成されたデータ獲得ユニットと、データ獲得ユニットによって出力されたデジタル信号を処理して、検出されるべき光信号の連続的な完全な電力スペクトルを生成するように構成された電力スペクトル生成ユニットと、電力スペクトル生成ユニットによって生成された連続的な完全な電力スペクトルに従って、検出されるべき光信号を運ぶ送信リンクの光性能パラメータを監視するように構成された光性能パラメータ監視ユニットとを含む。
【００２４】
上述の技術的な解決策に基づいて、本発明の実施態様の光性能パラメータを監視するための装置および方法、ならびに光送信システムによれば、受信された検出されるべき光信号および多波長局部発振レーザービームに対してコヒーレント合成が実行され、検出されるべき光信号の連続的な完全な電力スペクトルを生成するために対応する信号処理を実行され、したがって、検出されるべき光信号を運ぶ送信リンクの光性能パラメータが、連続的な完全な電力スペクトルに従って監視可能であり、それが、フィルタが使用されるときに引き起こされる信号に対する損害を防止し、それによって、光性能パラメータを高精度で監視することができる。
【００２５】
本発明の実施形態における技術的な解決策をより明瞭に説明するために、以下で、本発明の実施形態を説明するために必要とされる添付の図面を簡潔に説明する。当然ながら、以下の説明における添付の図面は、本発明の一部の実施形態を示すに過ぎず、当業者は、創造的な労力なしにこれらの添付の図面からその他の図面を導き出すことがやはり可能である。
【図面の簡単な説明】
【００２６】
【図１】本発明の実施形態による応用シナリオの概略的なブロック図である。
【図２】本発明の実施形態による光性能パラメータを監視するための装置の概略的なブロック図である。
【図３】本発明の実施形態によるコヒーレント受信ユニットの概略的なブロック図である。
【図４】本発明の実施形態によるコヒーレント受信ユニットの別の概略的なブロック図である。
【図５】本発明の実施形態によるコヒーレント受信ユニットのさらに別の概略的なブロック図である。
【図６】本発明の実施形態による電力スペクトル生成ユニットの概略的なブロック図である。
【図７】本発明の実施形態による光性能パラメータを監視するための方法の概略的な流れ図である。
【図８】本発明の実施形態による光性能パラメータを監視するための方法の別の概略的な流れ図である。
【図９】本発明の実施形態による光性能パラメータを監視するための方法のさらに別の概略的な流れ図である。
【図１０】本発明の実施形態による光送信システムの概略的なブロック図である。
【発明を実施するための形態】
【００２７】
以下で、本発明の実施形態の技術的な解決策を本発明の実施形態の添付の図面を参照して明瞭および完全に説明する。当然ながら、説明される実施形態は、本発明の実施形態のすべてではなくその一部である。創造的な労力なしに本発明の実施形態に基づいて当業者によって得られるすべてのその他の実施形態は、本発明の保護範囲内に入る。
【００２８】
本発明の実施形態の技術的な解決策は、様々な光ネットワークに適用可能であり、特に、受動光ネットワーク(Passive Optical Network、略して「PON」)、たとえば、ギガビット対応受動光ネットワーク(Gigabit-capable Passive Optical Networks、略して「GPON」)システム、10Gbit/sイーサネット(登録商標)受動光ネットワーク(10G bit/S Ethernet Passive Optical Network、略して「10G EPON」)、および10ギガビット対応受動光ネットワーク(10-Gigabit-capable Passive Optical Network、略して「XG PON」)に適用可能であることを理解されたい。加えて、説明を容易にするために、PONシステムが、以下で説明のための例として使用されるが、本発明は、PONシステムに限定されない。
【００２９】
図1は、本発明の実施形態による応用シナリオの概略的なブロック図を示す。図1に示されるように、光送信システムにおいて、たとえば、PONシステムにおいて、PONシステムは、光信号を送信するように構成されたファイバリンク10およびファイバリンク10内に配置された光スプリッタ20を含んでもよく、光スプリッタ20は、ファイバリンク10内で送信された光信号を2つの光信号に分けることがあり、光信号のうちの一方は、ファイバリンク10内で送信され続けることがあり、他方の光信号は、光信号を運ぶ送信リンクの光性能パラメータを監視するために、光性能パラメータを監視するための装置30に入力されることがあり、装置30は、たとえば、OPMモジュール、または本発明の実施形態による光性能パラメータを監視するための装置である。
【００３０】
ファイバリンクによって送信された光信号は、光回線終端装置(Optical Line Terminal、略して「OLT」)から1つまたは複数の光ネットワーク終端装置(Optical Network Terminal、略して「ONT」)/光ネットワークユニット(Optical Network Unit、略して「ONU」)にPONシステムにおいて送信されるデータを運ぶために使用される可能性があるのみでなく、ONT/ONUからOLTに送信されたデータを運ぶために使用される可能性もあり、別の光ネットワークシステムまたは光送信システムにおいてデータを運ぶためにさらに使用される可能性があり、本発明は、これらに限定されないことを理解されたい。
【００３１】
図2は、本発明の実施形態による光性能パラメータを監視するための装置100の概略ブロック図を示す。図2に示されるように、装置100は、
受信された検出されるべき光信号および多波長局部発振レーザービームに対してコヒーレント合成を実行し、コヒーレント合成によって形成されたコヒーレント受信信号をアナログ電気信号へと変換するように構成されたコヒーレント受信ユニット110と、
コヒーレント受信ユニット110によって出力されたアナログ電気信号を獲得し、アナログ電気信号をデジタル信号へと変換するように構成されたデータ獲得ユニット120と、
データ獲得ユニット120によって出力されたデジタル信号を処理して、検出されるべき光信号の連続的な完全な電力スペクトルを生成するように構成された電力スペクトル生成ユニット130と、
電力スペクトル生成ユニット130によって生成された連続的な完全な電力スペクトルに従って、検出されるべき光信号を運ぶ送信リンクの光性能パラメータを監視するように構成された光性能パラメータ監視ユニット140とを含む。
【００３２】
特に、図2に示されるように、光性能パラメータを高精度で監視知るために、本発明のこの実施形態による光性能パラメータを監視するための装置100は、コヒーレント受信ユニット110、データ獲得ユニット120、電力スペクトル生成ユニット130、および光性能パラメータ監視ユニット140を含み得る。コヒーレント受信ユニット110は、コヒーレント光通信の原理に基づいて検出されるべき光信号および多波長局部発振レーザービームに対してコヒーレント合成を実行し得る。光信号の位相特性がさらに考慮されるので、コヒーレント合成は、装置が光性能パラメータを監視する精度を改善し得るように光信号の耐干渉能力を大幅に改善することができる。コヒーレント合成が実行される光信号は、たとえば、光信号をアナログ電気信号へと変換するために光電子検出器によって受信され得る。アナログ電気信号は、たとえば、アナログデジタルコンバータ(Analog-Digital Converter、略して「ADC」)を含むデータ獲得ユニット120によって獲得することができ、アナログ電気信号は、デジタル信号へと変換される。光性能パラメータ監視ユニット140が、連続的な完全な電力スペクトルに従って、検出されるべき光信号を運ぶ送信リンクの光性能パラメータを監視し得るように、電力スペクトル生成ユニット130は、デジタル信号を処理して、検出されるべき光信号の連続的な完全な電力スペクトルを生成し得る。
【００３３】
特に、本発明のこの実施形態においては、一方で、波長が局部発振レーザービームの波長と同じである検出されるべき光信号内の光信号を監視するために、受信された検出されるべき光信号および多波長局部発振レーザービームに対してコヒーレント合成が直接実行され、したがって、特定の波長を有する検出されるべき光信号を獲得するためにフィルタを使用する必要がなく、検出されるべき光信号を監視する必要がなく、それが、フィルタが必要とされるときに引き起こされる信号に対する損害を防止し、装置によって光性能パラメータを監視する精度を改善することができ、他方、本発明においては、光信号が、コヒーレント合成テクノロジーを使用することによって処理され、それが、光信号の耐干渉能力を大幅に改善し、それによって、装置の光性能パラメータを監視する精度をさらに改善することができる。
【００３４】
したがって、本発明のこの実施形態の光性能パラメータを監視するための装置は、受信された検出されるべき光信号および多波長局部発振レーザービームに対してコヒーレント合成を実行し、対応する信号処理を実行して検出されるべき光信号の連続的な完全な電力スペクトルを生成し、したがって、検出されるべき光信号を運ぶ送信リンクの光性能パラメータが、連続的な完全な電力スペクトルに従って監視可能であり、それが、フィルタが使用されるときに引き起こされる信号に対する損害を防止し、それによって、光性能パラメータを高精度で監視することができる。
【００３５】
以下で、図3から図6までを参照して、本発明のこの実施形態による装置100に含まれるコヒーレント受信ユニット110、データ獲得ユニット120、電力スペクトル生成ユニット130、および光性能パラメータ監視ユニット140を別々に説明する。
【００３６】
本発明のこの実施形態においては、図3に示されるように、コヒーレント受信ユニット110は、
多波長局部発振レーザービームを出力するように構成された多波長局部発振レーザー111と、
第1の偏光状態を有し、検出されるべき光信号内にある第1の検出されるべき光信号、および第1の偏光状態を有し、多波長局部発振レーザービーム内にある第1の局部発振レーザービームに対してコヒーレント合成を実行するように構成された第1の光シンセサイザ112と、
第1の光シンセサイザ112がコヒーレント合成を実行した後に生成されたコヒーレント受信信号を受信し、コヒーレント受信信号をアナログ電気信号へと変換するように構成された第1の光電子検出器113とを含む。
【００３７】
本発明のこの実施形態において、多波長局部発振レーザー111は、多波長局部発振レーザービームを出力することができ、多波長局部発振レーザービームが有する周波数帯域が、検出されるべき光信号内の光信号の一部もしくはすべてが有する周波数を含むか、または多波長局部発振レーザービームの波長が、検出されるべき光信号内の光信号の一部もしくはすべての波長を含み、したがって、多波長局部発振レーザービームおよび光信号の一部またはすべてに対してコヒーレント合成が実行され得る。したがって、検出されるべき光信号の連続的な完全な電力スペクトルをさらに得るために、検出されるべき光信号の、多波長局部発振レーザービームに対応する複数の異なる周波数帯域内の連続的な電力スペクトルが取得され得る。
【００３８】
検出されるべき光信号の波長の範囲は、DWDMシステムの波長の範囲であってもよく、たとえば、波長の範囲は、1528.77nmから1560.61nmであってもよい。しかし、本発明のこの実施形態においては、説明のために例が使用されるに過ぎず、本発明はその例に限定されず、たとえば、検出されるべき光信号の波長の範囲は別の値である可能性もあることを理解されたい。
【００３９】
本発明のこの実施形態においては、任意で、多波長局部発振レーザー111は、チューナブルレーザーであり、チューナブルレーザーによって出力されるレーザービームの波長は、検出されるべき光信号の波長を含む。つまり、チューナブルレーザーによって出力され得るレーザービームの周波数帯域は、検出されるべき光信号が有する周波数を含み得る。
【００４０】
たとえば、チューナブルレーザーの周波数のチューニング可能な範囲は、通信帯域全体を含むことがあり、つまり、C帯域およびL帯域を含む。したがって、検出されるべき光信号内の特定の波長が、チューナブルレーザーによって出力されるレーザービームの波長を変えることによって選択的に監視可能であり、したがって、特定の波長を有する検出されるべき光信号を獲得するためにフィルタを使用する必要がなく、検出されるべき光信号を監視する必要がなく、それが、フィルタが使用されるときに引き起こされる信号に対する損害を防止し、それによって、装置によって光性能パラメータを監視する精度を改善することができる。
【００４１】
加えて、チューナブルレーザーの周波数のチューニング可能な範囲が決定されるとき、多波長局部発振レーザービームに対応する複数の異なる周波数帯域の間の周波数帯域間隔が、チューナブルレーザーの周波数チューニングステップの長さを決定することによって調整可能であり、したがって、検出されるべき光信号の最終的に獲得される連続的な完全な電力スペクトルの精度、正確さ、および監視時間が変更され得る。
【００４２】
したがって、本発明のこの実施形態における光性能パラメータを監視するための装置によれば、多波長局部発振レーザービームがチューナブルレーザーを使用することによって出力されるとき、フィルタが使用されるときに引き起こされる信号に対する損害が避けられる可能性があるのみでなく、チューナブルレーザーの周波数チューニングの精度が必要に応じて変更される可能性もあり、したがって、検出されるべき光信号の最終的に獲得される連続的な完全な電力スペクトルの精度、正確さ、および監視時間が変更され得る。したがって、本発明のこの実施形態に従って装置によって光性能パラメータを監視する性能は、制御可能である。
【００４３】
本発明のこの実施形態においては、装置のコストを削減し、チューナブルレーザーが毎回周波数のチューニングに費やす時間を削減するために、チューナブルレーザーの周波数チューニングステップの長さが増やされ得るが、周波数チューニングステップの長さの増加は、復元された電力スペクトルを不明瞭で粗くすることを理解されたい。したがって、最適化を実行するために最適化アルゴリズムが使用される必要がある。最適化アルゴリズムは、たとえば、ウィナー逆畳み込み(Wiener deconvolution)アルゴリズムである。このアルゴリズムにおいては、最適化を実行するために、装置の応答曲線を推定し、それによって、光デバイスの応答曲線全体を取得するために、光デバイスが全体として考慮される必要がある。最適化処理がウィナー逆畳み込みアルゴリズムを使用することによって実行された後、高精度で正確性の高い連続的な完全な電力スペクトルを取得することができ、したがって、光性能パラメータが高精度で監視可能であり、監視時間を短縮可能であり、装置のコストが削減される。
【００４４】
本発明のこの実施形態においては、任意で、多波長局部発振レーザー111は、光周波数コムであり、コヒーレント受信ユニット110は、光周波数コムによって出力される多波長局部発振レーザービームに対してフィルタリングを実行するように構成された帯域通過フィルタBPFであって、検出されるべき光信号の周波数が帯域通過フィルタのカットオフ周波数の範囲内にある、帯域通過フィルタBPFをさらに含む。
【００４５】
つまり、帯域通過フィルタは、検出されるべき周波数帯域を含む範囲内の多波長局部発振レーザービームが出力され得るように、光周波数コムによって出力される多波長局部発振レーザービームを選択するように構成可能であり、検出されるべき周波数帯域は、検出されるべき光信号の周波数を含み、したがって、コヒーレント合成が、多波長局部発振レーザービームおよび検出されるべき光信号に対して実行可能であり、帯域通過フィルタのカットオフ周波数が、検出されるべき光信号の周波数帯域に応じて設定され得る。
【００４６】
本発明のこの実施形態においては、光周波数コムが、多波長局部発振レーザーとして使用され、光周波数コムデバイスが複数の光源を同時に生成することができる特性を使用することによって、複数の周波数の信号に対するコヒーレント合成を同時に実施可能であり、それが、コヒーレント合成の並列性の度合いを高めることができ、光性能パラメータを監視するための時間を短縮することができる。加えて、加えて、光周波数コムによって出力される多波長局部発振レーザービームは、安定した性能を有し、それが、光性能パラメータを監視する精度および正確さをさらに改善することができる。
【００４７】
光周波数コムが多波長局部発振レーザーとして使用されるとき、検出されるべき光信号の連続的な完全な電力スペクトルを迅速に生成するために、複数の光電子検出器が、コヒーレント合成が実行される光信号を受信するために使用される、複数のデータ獲得ユニットが使用される等々の可能性があり、その結果、光性能パラメータを監視するための時間が短縮され得ることを理解されたい。
【００４８】
本発明のこの実施形態において、多波長局部発振レーザーは複数の中心波長を有するレーザービームを同時に出力するレーザー、たとえば、光周波数コムを含む可能性があるのみでないことを理解されたい。多波長局部発振レーザーは、複数の中心波長を有するレーザービームを時分割式に出力するレーザー、たとえば、チューナブルレーザーを含む可能性もある。本発明のこの実施形態において、光周波数コムおよびチューナブルレーザーは、説明のための例として使用されるに過ぎず、本発明は、それらに限定されない。
【００４９】
本発明のこの実施形態において、多波長局部発振レーザービームは、同時にまたは時分割式に出力され、複数の異なる中心波長を有するレーザービームを示すことがあり、各中心波長は、1つの周波数帯域に対応することがあり、つまり、多波長局部発振レーザービームは、複数の異なる周波数帯域に対応し得ることをさらに理解されたい。
【００５０】
本発明のこの実施形態において、検出されるべき光信号および多波長局部発振レーザービームに対してコヒーレント合成を実行することは、検出されるべき光信号および複数の異なる中心波長を有するレーザービームに対してコヒーレント合成を同時に実行することを含む可能性があるのみでなく、検出されるべき光信号および複数の異なる中心波長を有するレーザービームに対してコヒーレント合成を時分割式に実行することを含む可能性もあることをさらに理解されたい。したがって、検出されるべき光信号の、多波長局部発振レーザービームに対応する複数の異なる周波数帯域内の連続的な電力スペクトルが取得され得る。本発明のこの実施形態において、この例は、説明のために使用されるに過ぎず、本発明は、この例に限定されない。
【００５１】
本発明のこの実施形態においては、任意で、第1の光シンセサイザ112は、光カプラまたは光ハイブリッドである。好ましくは、第1の光シンセサイザ112が光ハイブリッドであるとき、第1の光電子検出器113の帯域幅は、500Mhzから2GHzまでの範囲内にある。
【００５２】
特に、光ハイブリッドは、たとえば、90°光ハイブリッドであり、光カプラは、たとえば、180°光カプラである。加えて、光ハイブリッド(Hybrid)と比較して、光カプラは、価格がより安く、さらに、光ハイブリッドを光カプラで置き換えることは、光性能パラメータが高精度で監視されることを保証することができるのみでなく、出力端の光電子検出器の量を減らし、それによって、光性能パラメータを監視するための装置のコストを削減することもできる。
【００５３】
本発明のこの実施形態においては、多波長局部発振レーザー111によって出力される多波長局部発振レーザービームまたは受信された検出されるべき光信号が非単一偏光レーザービームであるとき、光信号の偏光状態が、偏光コントローラを使用することによって調整可能であり、単一偏光光が、偏光ビームスプリッタを使用することによって空間内で分けられ得る。
【００５４】
特に、本発明のこの実施形態においては、任意で、図4に示されるように、コヒーレント受信ユニット110は、
受信された検出されるべき光信号の偏光状態を調整するように構成された偏光コントローラ114と、
偏光コントローラ114によって出力された検出されるべき光信号を、偏光状態が互いに直交する第1の検出されるべき光信号および第2の検出されるべき光信号へと分けるように構成された第1の偏光ビームスプリッタ115であって、第1の検出されるべき光信号が第1の光シンセサイザ112に入力される、第1の偏光ビームスプリッタ115と、
多波長局部発振レーザー111によって出力される多波長局部発振レーザービームを、偏光状態が互いに直交する第1の局部発振レーザービームおよび第2の局部発振レーザービームへと分けるように構成された第2の偏光ビームスプリッタ116であって、第1の局部発振レーザービームが第1の光シンセサイザ112に入力される、第2の偏光ビームスプリッタ116とをさらに含む。
【００５５】
本発明のこの実施形態において、コヒーレント受信ユニット110は、検出されるべき光信号と、第1の偏光状態と直交する第2の偏光状態を有する局部発振レーザービームとに対してのみコヒーレント合成を実行し、コヒーレント合成が実行される光信号をアナログ電気信号へと変換することができ、その結果、コヒーレント合成を精密に観測可能であり、装置は構造が単純で、コストが安いことを理解されたい。
【００５６】
本発明のこの実施形態においては、光性能パラメータを監視する精度をさらに改善するために、コヒーレント受信ユニット110が、検出されるべき光信号と、第1の偏光状態を有する局部発振レーザービームとに対してコヒーレント合成を実行する可能性があるのみでなく、検出されるべき光信号と、第1の偏光状態と直交する第2の偏光状態を有する局部発振レーザービームとに対してコヒーレント合成を実行する可能性もあることをさらに理解されたい。
【００５７】
特に、本発明のこの実施形態においては、図5に示されるように、任意で、コヒーレント受信ユニット110は、
第2の偏光状態を有する第2の検出されるべき光信号および第2の偏光状態を有する第2の局部発振レーザービームを受信し、第2の検出されるべき光信号および第2の局部発振レーザービームに対してコヒーレント合成を実行するように構成された第2の光シンセサイザ117であって、第2の偏光状態が第1の偏光状態と直交する、第2の光シンセサイザ117と、
第2の光シンセサイザ117がコヒーレント合成を実行した後に生成されたコヒーレント受信信号を受信し、コヒーレント受信信号をアナログ電気信号へと変換するように構成された第2の光電子検出器118とをさらに含む。
【００５８】
特に、受信された検出されるべき光信号の偏光状態が偏光コントローラ114によって調整された後、検出されるべき光信号は、第1の偏光ビームスプリッタ115に入力される。第1の偏光ビームスプリッタ115は、検出されるべき光信号を、偏光状態が互いに直交する第1の検出されるべき光信号および第2の検出されるべき光信号へと分ける。第1の検出されるべき光信号は、第1の偏光状態を有し、第1の光シンセサイザ112に入力され、第2の検出されるべき光信号は、第2の偏光状態を有し、第2の光シンセサイザ117に入力される。多波長局部発振レーザー111によって出力される多波長局部発振レーザービームは、第2の偏光ビームスプリッタ116によって、偏光状態が互いに直交する第1の局部発振レーザービームおよび第2の局部発振レーザービームへと分けられる。第1の局部発振レーザービームは、第1の偏光状態を有し、第1の光シンセサイザ112に入力され、第2の局部発振レーザービームは、第2の偏光状態を有し、第2の光シンセサイザ117に入力される。
【００５９】
第1の光シンセサイザ112は、第1の偏光状態を有する第1の検出されるべき光信号および第1の局部発振レーザービームに対してコヒーレント合成を実行し、コヒーレント合成の後で得られたコヒーレント受信信号を第1の光電子検出器113に入力する。第2の光シンセサイザ117は、第2の偏光状態を有する第2の検出されるべき光信号および第2の局部発振レーザービームに対してコヒーレント合成を実行し、コヒーレント合成の後で得られたコヒーレント受信信号を第2の光電子検出器118に入力する。第1の光電子検出器113および第2の光電子検出器118は、それぞれ、コヒーレント受信信号をアナログ電気信号へと変換する。
【００６０】
本発明のこの実施形態においては、任意で、第2の光シンセサイザ117は、光ハイブリッドまたは光カプラである。好ましくは、第2の光シンセサイザ117が光ハイブリッドであるとき、第2の光電子検出器118の帯域幅は、500Mhzから2GHzまでの範囲内にある。
【００６１】
任意で、第1の光電子検出器113または第2の光電子検出器118の帯域幅は、500MHzから1GHzまでの範囲または1GHzから2GHzまでの範囲内にある。たとえば、第1の光電子検出器113または第2の光電子検出器118の帯域幅は、第1の光電子検出器113または第2の光電子検出器118の帯域幅の要件を引き下げるために500MHz、800MHz、または1GHzであり、それによって、装置のコストを大幅に削減する。
【００６２】
本発明のこの実施形態において、第1の光電子検出器または第2の光電子検出器は、受信された光信号を電気信号へと変換するデバイスであってもよく、たとえば、第1の光電子検出器または第2の光電子検出器は、フォトダイオード、PINフォトダイオード、またはアバランシェフォトダイオードであってもよいが、本発明のこの実施形態は、それらに限定されないことを理解されたい。
【００６３】
本発明のこの実施形態において、データ獲得ユニット120は、獲得されたアナログ電気信号をデジタル信号へと変換するために、たとえば、アナログデジタルコンバータADCを含み、ADCの帯域幅は、500MHzから2GHzまでの範囲内にあってもよい。
【００６４】
たとえば、本発明のこの実施形態において、チューナブルレーザーは、多波長局部発振レーザービームを出力するように構成される。チューナブルレーザーのチューニングステップの長さは、たとえば、1GHzであり、この場合、第1の光電子検出器または第2の光電子検出器の帯域幅は、500MHzであってもよく、データ獲得ユニット120に含まれるADCの帯域幅は、やはり500MHzであってもよい。別の例として、チューナブルレーザーのチューニングステップの長さは、5GHzであり、この場合、第1の光電子検出器または第2の光電子検出器の帯域幅は、1GHzであってもよく、データ獲得ユニット120に含まれるADCの帯域幅は、やはり1GHzであってもよい。しかし、本発明のこの実施形態において、これら例は、説明のために使用されるに過ぎず、本発明は、これらの例に限定されないことを理解されたい。
【００６５】
図6は、本発明の実施形態による電力スペクトル生成ユニット130の概略ブロック図をさらに示す。図6に示されるように、電力スペクトル生成ユニット130は、
データ獲得ユニットによって出力されたデジタル信号に対してフーリエ変換を実行して、検出されるべき光信号の、多波長局部発振レーザービームに対応する複数の異なる周波数帯域内の連続的な電力スペクトルを生成するように構成されたフーリエ変換モジュール131と、
複数の異なる周波数帯域内の連続的な電力スペクトルに従って検出されるべき光信号の離散的な完全な電力スペクトルを生成するように構成されたスペクトル接合モジュール132と、
補間アルゴリズムを使用することによって検出されるべき光信号の離散的な完全な電力スペクトルに従って検出されるべき光信号の連続的な電力スペクトルを生成するように構成されたスペクトル生成モジュール133とを含む。
【００６６】
特に、コヒーレント受信ユニット110は、1つまたは複数の特定の周波数帯域内にある局部発振レーザービームおよび検出されるべき光信号に対して毎回コヒーレント合成を実行することができ、フーリエ変換モジュール131は、検出されるべき光信号の、1つまたは複数の特定の周波数帯域内の連続的な電力スペクトルを生成するためにフーリエ変換を実行する。たとえば、検出されるべき光信号の、複数の異なる周波数帯域内の連続的な電力スペクトルは、多波長局部発振レーザーの出力周波数帯域を連続的に変えることによって得られる可能性がある。したがって、スペクトル接合モジュール132は、複数の異なる周波数帯域内の連続的な電力スペクトルに従って検出されるべき光信号の離散的な完全な電力スペクトルを生成する可能性があり、その結果、スペクトル生成モジュール133は、補間アルゴリズムを使用することによって、検出されるべき光信号の離散的な完全な電力スペクトルに従って検出されるべき光信号の連続的な電力スペクトルを生成し得る。
【００６７】
本発明のこの実施形態においては、チャネル環境が比較的悪いとき、検出されるべき光信号の連続的な電力スペクトルをより正確に推定するために、検出されるべき光信号の、多波長局部発振レーザービームに対応する同じ周波数帯域内の連続的な電力スペクトルを決定する精度を改善するために同じ周波数帯域内の複数のコヒーレント受信信号に対して平均処理が実行される可能性があり、それによって、装置によって光性能パラメータを監視する精度をさらに改善する。
【００６８】
特に、本発明のこの実施形態においては、任意で、フーリエ変換モジュール131が、特に、
データ獲得ユニットによって出力され、同じ周波数帯域内にある複数のデジタル信号に対して平均処理を実行し、
平均処理が実行されたデジタル信号に対してフーリエ変換を実行して、検出されるべき光信号の、多波長局部発振レーザービームに対応する同じ周波数帯域内の連続的な電力スペクトルを生成するように構成される。
【００６９】
本発明のこの実施形態において、用語「完全な電力スペクトル」は、検出されるべき周波数帯域全体の中の検出されるべき光信号の電力スペクトルを示すことを理解されたい。検出されるべき周波数帯域は、検出されるべき光信号に対応する周波数帯域を示す。たとえば、「離散的な完全な電力スペクトル」は、検出されるべき周波数帯域全体の中の検出されるべき光信号の離散的な電力スペクトルを示し、「連続的な完全な電力スペクトル」は、検出されるべき周波数帯域全体の中の検出されるべき光信号の連続的な電力スペクトルを示す。本発明のこの実施形態において、用語「離散的な」は「連続的な」と相対的であり、たとえば、「離散的な完全な電力スペクトル」は、検出されるべき周波数帯域全体の中の周波数帯域の一部の中の電力スペクトルを示し、検出されるべき周波数帯域全体の中で不連続であり、つまり、検出されるべき周波数帯域内の一部の特定の周波数帯域内の電力スペクトルが欠けていることをさらに理解されたい。
【００７０】
本発明のこの実施形態において、光性能パラメータ監視ユニット140は、電力スペクトル生成ユニットによって生成された連続的な完全な電力スペクトルに従って、検出されるべき光信号を運ぶ送信リンクの光性能パラメータを監視するように構成される。特に、光性能パラメータ監視ユニット140によって監視される光性能パラメータは、以下のパラメータ、すなわち、光信号対雑音比OSNR、光電力、変調フォーマット、チャネル波長シフト、自然放射増幅光ASE (Amplified Spontaneous Emission、略して「ASE」)雑音、増幅器の利得、および利得傾斜のうちの少なくとも1つのパラメータを含み得る。
【００７１】
本発明のこの実施形態においては、検出されたコヒーレント受信信号が局部発振レーザービームの電力部分(power part)と、光信号が上述の光デバイスを通り抜けるときに引き起こされる損失とを含むので、たとえば、高速フーリエ変換(Fast Fourier Transform、略して「FFT」)がデータ獲得ユニットによって出力されたデジタル信号に対して実行された後、特定の周波数帯域内の比較的粗いスペクトルが得られることを理解されたい。検出されるべき光信号の高精度の連続的な完全な電力スペクトルを得るために、スペクトル接合、電力補正、および係数補償(coefficient compensation)などの最適化処理が、高精度で正確性の高い連続的な完全な電力スペクトルを得るために粗いスペクトルに対してさらに実行されてもよく、それによって、光性能パラメータの監視の精度をさらに改善する。
【００７２】
本発明のこの実施形態においては、光性能パラメータをよりうまく監視することを容易にするために、光電子検出器に入る前に、各光信号は、別の光デバイスにさらに入ることがあり、たとえば、光スプリッタによって分離されることがあり、または集光レンズによって集光されることがあり、これは、本発明のこの実施形態において限定されないことをさらに理解されたい。加えて、本発明のこの実施形態においては、ユニットが別々に独立して配置されてもよいし、または光性能監視(optical performance monitoring) OPMモジュールとして一体的に配置されてもよいが、本発明のこの実施形態は、それらに限定されないことがさらに理解されるであろう。
【００７３】
したがって、本発明のこの実施形態の光性能パラメータを監視するための装置は、受信された検出されるべき光信号および多波長局部発振レーザービームに対してコヒーレント合成を実行し、対応する信号処理を実行して検出されるべき光信号の連続的な完全な電力スペクトルを生成し、したがって、検出されるべき光信号を運ぶ送信リンクの光性能パラメータが、連続的な完全な電力スペクトルに従って監視可能であり、それが、フィルタが使用されるときに引き起こされる信号に対する損害を防止し、それによって、光性能パラメータを高精度で監視することができる。
【００７４】
加えて、本発明のこの実施形態の光性能パラメータを監視するための装置は、光ネットワークの監視および管理を容易にするために、異なる送信チャネルに関して高精度でリアルタイムのオンライン複数パラメータ監視を実行することができ、光通信の帯域全体の中で複数のパラメータを監視することができ、主として送信リンクに関して複数パラメータ監視を実行することもでき、オンライン監視によってネットワーク性能のパラメータを反映することができる。さらに、本発明のこの実施形態による装置は、光性能パラメータを監視する低い制御可能な性能、および光性能パラメータを監視するための短い時間などの利点をさらに有する。
【００７５】
本発明のこの実施形態による光性能パラメータを監視するためのユニットは、図1から図6を参照して上で詳細に説明されている。本発明の実施形態による光性能パラメータを監視する方法および光送信システムが、図7から図10を参照して以下で詳細に説明される。
【００７６】
図7は、本発明の実施形態による光性能パラメータを監視するための方法300の概略的な流れ図を示す。方法300は、本発明の実施形態による光性能パラメータを監視するための装置100によって実行されてもよく、たとえば、方法300は、OPMモジュールによって実行されてもよい。図7に示されるように、方法300は、以下を含む。
【００７７】
S310:  受信された検出されるべき光信号および多波長局部発振レーザービームに対してコヒーレント合成を実行する。
【００７８】
S320:  コヒーレント合成によって形成されたコヒーレント受信信号をアナログ電気信号へと変換する。
【００７９】
S330:  アナログ電気信号を獲得し、アナログ電気信号をデジタル信号へと変換する。
【００８０】
S340:  デジタル信号を処理して、検出されるべき光信号の連続的な完全な電力スペクトルを生成する。
【００８１】
S350:  連続的な完全な電力スペクトルに従って、検出されるべき光信号を運ぶ送信リンクの光性能パラメータを監視する。
【００８２】
したがって、本発明のこの実施形態の光性能パラメータを監視するための方法によれば、受信された検出されるべき光信号および多波長局部発振レーザービームに対してコヒーレント合成が実行され、検出されるべき光信号の連続的な完全な電力スペクトルを生成するために対応する信号処理を実行され、したがって、検出されるべき光信号を運ぶ送信リンクの光性能パラメータが、連続的な完全な電力スペクトルに従って監視可能であり、それが、フィルタが使用されるときに引き起こされる信号に対する損害を防止し、それによって、光性能パラメータを高精度で監視することができる。
【００８３】
本発明のこの実施形態においては、任意で、受信された検出されるべき光信号および多波長局部発振レーザービームに対してコヒーレント合成を実行することが、
第1の偏光状態を有し、検出されるべき光信号内にある第1の検出されるべき光信号、および第1の偏光状態を有し、多波長局部発振レーザービーム内にある第1の局部発振レーザービームに対してコヒーレント合成を実行することを含む。
【００８４】
本発明のこの実施形態においては、任意で、図8に示されるように、受信された検出されるべき光信号および多波長局部発振レーザービームに対してコヒーレント合成を実行することの前に、方法300が、以下をさらに含む。
【００８５】
S360:  受信された検出されるべき光信号の偏光状態を調整する。
【００８６】
S370:  偏光状態が調整される検出されるべき光信号を、偏光状態が互いに直交する第1の検出されるべき光信号および第2の検出されるべき光信号へと分ける。
【００８７】
S380:  多波長局部発振レーザービームを、偏光状態が互いに直交する第1の局部発振レーザービームおよび第2の局部発振レーザービームへと分ける。
【００８８】
受信された検出されるべき光信号および多波長局部発振レーザービームに対してコヒーレント合成を実行することが、以下を含む。
【００８９】
S311:  第1の検出されるべき光信号および第1の局部発振レーザービームに対してコヒーレント合成を実行する。
【００９０】
本発明のこの実施形態においては、任意で、受信された検出されるべき光信号および多波長局部発振レーザービームに対してコヒーレント合成を実行することが、
第1の検出されるべき光信号および第1の局部発振レーザービームに対してコヒーレント合成を実行することと、
第2の偏光状態を有する第2の検出されるべき光信号および第2の偏光状態を有する第2の局部発振レーザービームに対してコヒーレント合成を実行することであって、第2の偏光状態が第1の偏光状態と直交する、実行することとを含む。
【００９１】
本発明のこの実施形態においては、任意で、図9に示されるように、デジタル信号を処理して、検出されるべき光信号の連続的な完全な電力スペクトルを生成することが、以下を含む。
【００９２】
S341:  デジタル信号に対してフーリエ変換を実行して、検出されるべき光信号の、多波長局部発振レーザービームに対応する複数の異なる周波数帯域内の連続的な電力スペクトルを生成する。
【００９３】
S342:  複数の異なる周波数帯域内の連続的な電力スペクトルに従って検出されるべき光信号の離散的な完全な電力スペクトルを生成する。
【００９４】
S343:  補間アルゴリズムを使用することによって検出されるべき光信号の離散的な完全な電力スペクトルに従って検出されるべき光信号の連続的な完全な電力スペクトルを生成する。
【００９５】
本発明の実施形態において、上述のプロセスの順序番号は、実行順序を意味せず、本発明の実施形態の実装プロセスに対するいかなる限定とも解釈されるべきでないことを理解されたい。プロセスの実行順序は、プロセスの機能および内部論理によって決定されるべきである。
【００９６】
本発明のこの実施形態において、多波長局部発振レーザービームを出力する多波長局部発振レーザーは、チューナブルレーザーであり、チューナブルレーザーによって出力されるレーザービームの波長は、検出されるべき光信号の波長を含むことを理解されたい。
【００９７】
任意で、本発明のこの実施形態において、多波長局部発振レーザービームを出力する多波長局部発振レーザーは、光周波数コムであり、光周波数コムによって出力される多波長局部発振レーザービームは、帯域通過フィルタBPFによってフィルタリングされてもよく、検出されるべき光信号の周波数は、帯域通過フィルタのカットオフ周波数の範囲内にある。
【００９８】
任意で、本発明のこの実施形態において、受信された検出されるべき光信号および多波長局部発振レーザービームに対してコヒーレント合成を実行するように構成された第1の光シンセサイザまたは第2の光シンセサイザは、光ハイブリッドであり、コヒーレント合成によって形成されたコヒーレント受信信号をアナログ電気信号に偏光するように構成された第1の光電子検出器または第2の光電子検出器の波長は、500MHzから2GHzまでの範囲内にある。
【００９９】
任意で、本発明のこの実施形態において、第1の光シンセサイザまたは第2の光シンセサイザは、光カプラである。
【０１００】
任意で、本発明のこの実施形態において、監視される光性能パラメータは、以下のパラメータ、すなわち、光信号対雑音比OSNR、光電力、変調フォーマット、チャネル波長シフト、自然放射増幅光ASE雑音、増幅器の利得、および利得傾斜のうちの少なくとも1つのパラメータを含む。
【０１０１】
したがって、本発明のこの実施形態の光性能パラメータを監視するための方法によれば、受信された検出されるべき光信号および多波長局部発振レーザービームに対してコヒーレント合成が実行され、検出されるべき光信号の連続的な完全な電力スペクトルを生成するために対応する信号処理を実行され、したがって、検出されるべき光信号を運ぶ送信リンクの光性能パラメータが、連続的な完全な電力スペクトルに従って監視可能であり、それが、フィルタが使用されるときに引き起こされる信号に対する損害を防止し、それによって、光性能パラメータを高精度で監視することができる。
【０１０２】
図10に示されるように、本発明の実施形態は、光送信システム500をさらに提供する。光送信システム500は、
光信号を送信するように構成されたファイバリンク510と、
ファイバリンク510内に配置され、光信号を第1の光信号および第2の光信号へと分けるように構成された光スプリッタ520であって、第1の光信号の強度が第2の光信号の強度よりも高い、光スプリッタ520と、
光スプリッタ520によって出力された第2の光信号を受信し、第2の光信号の光性能パラメータに対して監視を実行するように構成された、本発明の実施形態による光性能パラメータを監視するための装置530とを含み、
装置は、受信された検出されるべき光信号および多波長局部発振レーザービームに対してコヒーレント合成を実行し、コヒーレント合成によって形成されたコヒーレント受信信号をアナログ電気信号へと変換するように構成されたコヒーレント受信ユニットと、コヒーレント受信ユニットによって出力されたアナログ電気信号を獲得し、アナログ電気信号をデジタル信号へと変換するように構成されたデータ獲得ユニットと、データ獲得ユニットによって出力されたデジタル信号を処理して、検出されるべき光信号の連続的な完全な電力スペクトルを生成するように構成された電力スペクトル生成ユニットと、電力スペクトル生成ユニットによって生成された連続的な完全な電力スペクトルに従って、検出されるべき光信号を運ぶ送信リンクの光性能パラメータを監視するように構成された光性能パラメータ監視ユニットとを含む。
【０１０３】
したがって、本発明のこの実施形態の光送信システムは、受信された検出されるべき光信号および多波長局部発振レーザービームに対してコヒーレント合成を実行し、対応する信号処理を実行して検出されるべき光信号の連続的な完全な電力スペクトルを生成し、したがって、検出されるべき光信号を運ぶ送信リンクの光性能パラメータが、連続的な完全な電力スペクトルに従って監視可能であり、それが、フィルタが使用されるときに引き起こされる信号に対する損害を防止し、それによって、光性能パラメータを高精度で監視することができる。
【０１０４】
本発明のこの実施形態において、光スプリッタ520は、光信号のほとんどがファイバリンク内でやはり送信される、つまり、本発明のこの実施形態による第1の光信号がファイバリンク510内でやはり送信されるように、たとえば、90:10または80:20の分岐比を有する。
【０１０５】
本発明のこの実施形態においては、任意で、コヒーレント受信ユニットは、多波長局部発振レーザービームを出力するように構成された多波長局部発振レーザーと、第1の偏光状態を有し、検出されるべき光信号内にある第1の検出されるべき光信号、および第1の偏光状態を有し、多波長局部発振レーザービーム内にある第1の局部発振レーザービームに対してコヒーレント合成を実行するように構成された第1の光シンセサイザと、第1の光シンセサイザがコヒーレント合成を実行した後に生成されたコヒーレント受信信号を受信し、コヒーレント受信信号をアナログ電気信号へと変換するように構成された第1の光電子検出器とを含む。
【０１０６】
本発明のこの実施形態においては、任意で、コヒーレント受信ユニットは、受信された検出されるべき光信号の偏光状態を調整するように構成された偏光コントローラと、偏光コントローラによって出力された検出されるべき光信号を、偏光状態が互いに直交する第1の検出されるべき光信号および第2の検出されるべき光信号へと分けるように構成された第1の偏光ビームスプリッタであって、第1の検出されるべき光信号が第1の光シンセサイザに入力される、第1の偏光ビームスプリッタと、多波長局部発振レーザーによって出力される多波長局部発振レーザービームを、偏光状態が互いに直交する第1の局部発振レーザービームおよび第2の局部発振レーザービームへと分けるように構成された第2の偏光ビームスプリッタであって、第1の局部発振レーザービームが第1の光シンセサイザに入力される、第2の偏光ビームスプリッタとをさらに含む。
【０１０７】
本発明のこの実施形態においては、任意で、コヒーレント受信ユニットは、第2の偏光状態を有する第2の検出されるべき光信号および第2の偏光状態を有する第2の局部発振レーザービームを受信し、第2の検出されるべき光信号および第2の局部発振レーザービームに対してコヒーレント合成を実行するように構成された第2の光シンセサイザであって、第2の偏光状態が第1の偏光状態と直交する、第2の光シンセサイザと、第2の光シンセサイザがコヒーレント合成を実行した後に生成されたコヒーレント受信信号を受信し、コヒーレント受信信号をアナログ電気信号へと変換するように構成された第2の光電子検出器とをさらに含む。
【０１０８】
本発明のこの実施形態においては、任意で、電力スペクトル生成ユニットは、データ獲得ユニットによって出力されたデジタル信号に対してフーリエ変換を実行して、検出されるべき光信号の、多波長局部発振レーザービームに対応する複数の異なる周波数帯域内の連続的な電力スペクトルを生成するように構成されたフーリエ変換モジュールと、複数の異なる周波数帯域内の連続的な電力スペクトルに従って検出されるべき光信号の離散的な完全な電力スペクトルを生成するように構成されたスペクトル接合モジュールと、補間アルゴリズムを使用することによって検出されるべき光信号の離散的な完全な電力スペクトルに従って検出されるべき光信号の連続的な電力スペクトルを生成するように構成されたスペクトル生成モジュールとを含む。
【０１０９】
本発明のこの実施形態においては、任意で、フーリエ変換モジュールが、特に、データ獲得ユニットによって出力され、同じ周波数帯域内にある複数のデジタル信号に対して平均処理を実行し、平均処理が実行されたデジタル信号に対してフーリエ変換を実行して、検出されるべき光信号の、多波長局部発振レーザービームに対応する同じ周波数帯域内の連続的な電力スペクトルを生成するように構成される。
【０１１０】
本発明のこの実施形態においては、任意で、多波長局部発振レーザーは、チューナブルレーザーであり、チューナブルレーザーによって出力されるレーザービームの波長は、検出されるべき光信号の波長を含む。
【０１１１】
本発明のこの実施形態においては、任意で、多波長局部発振レーザーは、光周波数コムであり、コヒーレント受信ユニットは、光周波数コムによって出力される多波長局部発振レーザービームに対してフィルタリングを実行するように構成された帯域通過フィルタBPFであって、検出されるべき光信号の周波数が帯域通過フィルタのカットオフ周波数の範囲内にある、帯域通過フィルタBPFをさらに含む。
【０１１２】
本発明のこの実施形態においては、任意で、第1の光シンセサイザまたは第2の光シンセサイザは、光ハイブリッドであり第1の光電子検出器または第2の光電子検出器の帯域幅は、500MHzから2GHzまでの範囲内にある。
【０１１３】
本発明のこの実施形態においては、任意で、第1の光シンセサイザまたは第2の光シンセサイザは、光カプラである。
【０１１４】
本発明のこの実施形態においては、任意で、光性能パラメータ監視ユニットによって監視される光性能パラメータは、以下のパラメータ、すなわち、光信号対雑音比OSNR、光電力、変調フォーマット、チャネル波長シフト、自然放射増幅光ASE雑音、増幅器の利得、および利得傾斜のうちの少なくとも1つのパラメータを含む。
【０１１５】
本発明のこの実施形態による光送信システム500に含まれる光性能パラメータを監視するための装置530は、本発明の実施形態による光性能パラメータを監視するための方法の実行主体に対応することがあり、本発明の実施形態による光性能パラメータを監視するための装置300に対応することがあることを理解されたい。さらに、装置530内のモジュールの上述およびその他の動作および/または機能は、簡潔にするために本明細書において再び説明されない図1から図6までの方法の対応するプロセスを別々に実施するためのものである。
【０１１６】
したがって、本発明のこの実施形態の光送信システムは、受信された検出されるべき光信号および多波長局部発振レーザービームに対してコヒーレント合成を実行し、対応する信号処理を実行して検出されるべき光信号の連続的な完全な電力スペクトルを生成し、したがって、検出されるべき光信号を運ぶ送信リンクの光性能パラメータが、連続的な完全な電力スペクトルに従って監視可能であり、それが、フィルタが使用されるときに引き起こされる信号に対する損害を防止し、それによって、光性能パラメータを高精度で監視することができる。
【０１１７】
加えて、用語「システム」および「ネットワーク」は、本明細書においては交換可能なように使用されることがある。本明細書における用語「および/または(and/or)」は、関連する対象を説明するための関連付けの関係のみを示し、3つの関係が存在し得ることを示す。たとえば、Aおよび/またはBは、次の3つの場合、すなわち、Aのみが存在する場合、AとBとの両方が存在する場合、およびBのみが存在する場合を表し得る。加えて、本明細書における文字「/」は、概して、関連する対象の間の「または(or)」の関係を示す。
【０１１８】
本発明の実施形態において、「Aに対応するB」は、BがAに関連付けられることを示しており、BがAに応じて決定され得ることを理解されたい。しかし、Bに応じてAを決定することは、BがAのみに応じて決定されることを意味せず、つまり、BがAおよび/またはその他の情報に応じて決定される可能性もあることをさらに理解されたい。
【０１１９】
当業者は、本明細書において開示された実施形態に示された例と組み合わせて、ユニットおよびアルゴリズムのステップが、電子的なハードウェア、コンピュータソフトウェア、またはそれらの組合せによって実装され得ることを知っているであろう。ハードウェアとソフトウェアとが交換可能であることを明瞭に示すために、上述の内容は、概して、各例の構成およびステップを機能に則して説明した。機能がハードウェアによって実行されるのか、またはソフトウェアによって実行されるのかは、特定の用途、および技術的な解決策の設計の制約条件に応じて決まる。当業者は、説明された機能をそれぞれの特定の用途のために実装するために異なる方法を用いることがあるが、実装は、本発明の範囲外であると考えられるべきでない。
【０１２０】
丁度よい簡潔な説明を目的として、上述のシステム、装置、およびユニットの詳細な作業工程に関しては、上述の方法の実施形態の対応するプロセスが参照可能であり、詳細は本明細書において再度説明されないことが当業者によってはっきりと理解されるであろう。
【０１２１】
本明細書において提供されたいくつかの実施形態において、開示されたシステム、装置、および方法は別様に実装され得ることを理解されたい。たとえば、説明された装置の実施形態は例示的であるに過ぎない。たとえば、ユニットの分割は、単に論理的な機能の分割であり、実際の実装ではその他の分割である可能性がある。たとえば、複数のユニットまたは構成要素が、組み合わされるか、もしくは別のシステムに統合されることがあり、または一部の特徴が、無視されるか、もしくは実行されないことがある。加えて、示されたかまたは検討された相互の結合または直接的な結合または通信接続は、いくつかのインターフェースを通じて実装されてもよい。装置またはユニットの間の間接的な結合または通信接続は、電子的、機械的、またはその他の形式で実装されてもよい。
【０１２２】
別々の部分として説明されたユニットは、物理的に分かれていることも、物理的に分かれていないこともあり、ユニットとして示された部分は、物理的なユニットであることも、物理的なユニットではないこともあり、1つの位置に配置されてもよいし、または複数のネットワークユニットに分散されてもよい。ユニットの一部またはすべては、本発明の実施形態の解決策の目的を達成するための実際の必要性に応じて選択され得る。
【０１２３】
加えて、本発明の実施形態の機能ユニットが、1つの処理ユニットに統合されてもよく、またはユニットの各々が、物理的に独立して存在してもよく、または2つ以上のユニットが、1つのユニットに統合される。統合されたユニットは、ハードウェアの形態で実装されてもよいし、またはソフトウェアの機能ユニットの形態で実装されてもよい。
【０１２４】
統合されたユニットは、ソフトウェアの機能ユニットの形態で実装され、独立した製品として販売されるかまたは使用されるとき、コンピュータ可読ストレージ媒体に記憶され得る。そのような理解に基づいて、本発明の技術的な解決策は基本的にソフトウェア製品の形態で実装可能であり、あるいは従来技術、または技術的な解決策のすべてもしくは一部に寄与する部分はソフトウェア製品の形態で実装可能である。コンピュータソフトウェア製品は、ストレージ媒体に記憶され、本発明の実施形態において説明された方法のステップのすべてまたは一部を実行するように(パーソナルコンピュータ、サーバ、またはネットワークデバイスであり得る)コンピュータデバイスに命じるためのいくつかの命令を含む。上述のストレージ媒体は、USBフラッシュドライブ、取り外し可能なハードディスク、読み出し専用メモリ(ROM、Read-Only Memory)、ランダムアクセスメモリ(RAM、Random Access Memory)、磁気ディスク、または光ディスクなどのプログラムコードを記憶することができる任意の媒体を含む。
【０１２５】
上述の説明は、本発明の特定の実施形態であるに過ぎず、本発明の保護範囲を限定するように意図されていない。本発明において開示された技術的範囲内で当業者によって容易に想到されるすべての修正または置き換えは、本発明の保護範囲内に入るものとする。したがって、本発明の保護範囲は、請求項の保護範囲に従うものとする。
【符号の説明】
【０１２６】
10  ファイバリンク
20  光スプリッタ
30  光性能パラメータを監視するための装置
100  光性能パラメータを監視するための装置
110  コヒーレント受信ユニット
111  多波長局部発振レーザー
112  第1の光シンセサイザ
113  第1の光電子検出器
114  偏光コントローラ
115  第1の偏光ビームスプリッタ
116  第2の偏光ビームスプリッタ
117  第2の光シンセサイザ
118  第2の光電子検出器
120  データ獲得ユニット
130  電力スペクトル生成ユニット
131  フーリエ変換モジュール
132  スペクトル接合モジュール
133  スペクトル生成モジュール
140  光性能パラメータ監視ユニット
500  光送信システム
510  ファイバリンク
520  光スプリッタ
530  光性能パラメータを監視するための装置
【図１】
0006325738.tif 000002
【図２】
0006325738.tif 000003
【図３】
0006325738.tif 000004
【図４】
0006325738.tif 000005
【図５】
0006325738.tif 000006
【図６】
0006325738.tif 000007
【図７】
0006325738.tif 000008
【図８】
0006325738.tif 000009
【図９】
0006325738.tif 000010
【図１０】
0006325738.tif 000011